(57)【要約】      （修正有）【課題】輝度をより均一にし、高い光利用率を有する光学フィルム、バックライトモジュール及びディスプレイ装置を提供する。【解決手段】光学フィルム１１１は、少なくとも１つの主表面と、主表面の周辺に位置する複数の側辺と、それぞれ任意の２つの隣接する側辺に位置し、それぞれ面取り面が形成されている複数の面取り部１１１３と、面取り部の面取り面に形成されている複数のマイクロ構造１１１５と、を含み、光学フィルムは、面取り部とマイクロ構造を設けることにより、バックライトモジュールの角部又は縁部での暗帯の発生を避け、バックライトモジュールの輝度をより均一にし、高い光利用率を持たせる。【選択図】図１
0003212898.tif 000002
【実用新案登録請求の範囲】
【請求項１】
少なくとも１つの主表面と、
前記少なくとも１つの主表面の周辺に位置する複数の側辺と、
それぞれ任意の２つの隣接する側辺に位置し、それぞれ面取り面が形成されている複数の面取り部と、
前記面取り部の前記面取り面に形成されている複数のマイクロ構造と、
を含むことを特徴とする光学フィルム。
【請求項２】
前記光学フィルムの側辺と前記面取り面との間に、９０度〜１８０度の角度の面取り角度を有することを特徴とする、請求項１に記載の光学フィルム。
【請求項３】
前記面取り角度は１３５度であることを特徴とする、請求項２に記載の光学フィルム。
【請求項４】
前記マイクロ構造は、ピン角状であって、隣接して設けられ、同一線形方向に向かって延伸され、前記線形方向は前記少なくとも１つの主表面に平行することを特徴とする、請求項１〜３のいずれかに記載の光学フィルム。
【請求項５】
前記マイクロ構造は間隔を置いて設けられ、同一線形方向に向かって延伸され、前記線形方向は前記少なくとも１つの主表面に平行することを特徴とする、請求項１〜３のいずれかに記載の光学フィルム。
【請求項６】
前記マイクロ構造はピン角状であることを特徴とする、請求項５に記載の光学フィルム。
【請求項７】
前記マイクロ構造はそれぞれ切り溝であることを特徴とする、請求項５に記載の光学フィルム。
【請求項８】
前記マイクロ構造は、非ピン角状であって、隣接して設けられ、同一線形方向に向かって延伸され、前記線形方向は前記少なくとも１つの主表面に平行することを特徴とする、請求項１〜３のいずれかに記載の光学フィルム。
【請求項９】
光源と、
前記光源により発生される光線をガイドする光学フィルム部材と、
を含み、
前記光学フィルム部材は、請求項１〜８のいずれかに記載の光学フィルムを有する、ことを特徴とするバックライトモジュール。
【請求項１０】
前記光学フィルム部材は更に、少なくとも１つの輝度増強フィルムと、少なくとも１つのプリズムシートと、少なくとも１つの拡散シートと、を備え、前記輝度増強フィルムと前記プリズムシートと前記拡散シートとは互いに重なって設けられていることを特徴とする、請求項９に記載のバックライトモジュール。
【請求項１１】
前記光学フィルムは、前記光源の上方に位置する拡散板であることを特徴とする、請求項９〜１０のいずれかに記載のバックライトモジュール。
【請求項１２】
ディスプレイパネルと、
請求項９〜１１のいずれかに記載のバックライトモジュールと、
を含み、
前記ディスプレイパネルは、前記バックライトモジュールの出光面に設けられていることを特徴とするディスプレイ装置。
【考案の詳細な説明】
【技術分野】
【０００１】
本考案は、光学フィルム、バックライトモジュール及びディスプレイ装置に関し、特に、角部での輝度を向上できる光学フィルム、バックライトモジュール及びディスプレイ装置に関する。
【背景技術】
【０００２】
液晶ディスプレイ（ＬＣＤ：Ｌｉｑｕｉｄ  Ｃｒｙｓｔａｌ  Ｄｉｓｐｌａｙ）は薄くて軽く、画質が綺麗である特徴を有するため、現在既に従来のブラウン管（ＣＲＴ：Ｃａｔｈｏｄｅ  Ｒａｙ  Ｔｕｂｅ）ディスプレイに替わって普及している。バックライトモジュールは液晶ディスプレイで非常に重要な発光構造であって、主に、バックライトモジュールから提供される光源を制御して、液晶パネルの液晶に合わせてスイッチ部材を適切に制御することにより、液晶ディスプレイのディスプレイ画面の輝度及び画質の良し悪しを決定する。また、発光ダイオードは、消費電力が低く、体積が小さく、輝度が高いなどの利点を有するため、現在既に従来の蛍光灯に替わってバックライトモジュールの光源として幅広く応用されている。
【０００３】
また、バックライトモジュールはディスプレイ装置の重要な部材の１つである。光源から発した光線はバックライトモジュール内の光学フィルム部材を経て光線の分布が調整され、ディスプレイ効果（例えば、ディスプレイ輝度及び画質）に直接的に影響する。発光ダイオード（ＬＥＤ：Ｌｉｇｈｔ  Ｅｍｉｔｔｉｎｇ  Ｄｉｏｄｅ）を光源として採用する直下型バックライトモジュールを例とすると、発光ダイオードから点光源の形式に見なされる光線が発生され、光線が光学フィルム部材を経て面光源にガイドされた後に、液晶パネルに出力され、これによりディスプレイ装置に必要な光線が提供される。
【０００４】
しかしながら、ディスプレイエリアの中央部で各方向の光源からの光線を取得できるのに比べて、ディスプレイエリアの角部と縁部で取得できる光線は限られているため、従来のディスプレイ装置はディスプレイエリアの角部又は縁部で暗帯又は輝度の不均一が発生しやすい。
【０００５】
直下型バックライトモジュール構造の角部又は縁部に、特に密集されている光源（ＬＥＤ）が設けられると、発光ダイオードアレイ（ＬＥＤ）の構造の複雑性及びコストが明らかに増加され、期待される光線の均一化の効果も制御しにくい。
【０００６】
上記問題に対し、従来のディスプレイ装置のバックライトモジュールの四隅に反射構造を増設することにより角部での輝度を向上させることが提案されている。しかしながら、このようなやり方は、製造コストを上昇させるなどの問題を引き起こす。
【０００７】
本考案の発明者は上記の問題点を見つけ、上記の直下型バックライトモジュール及びディスプレイ装置に対して、更なる改良を行う必要があると判断し、本考案を完成した。
【考案の概要】
【０００８】
本考案の主な目的は、バックライトモジュールの角部又は縁部での暗帯の発生を避け、バックライトモジュールの輝度をより均一にし、比較的高い光利用率を持たせることにより、光源（ＬＥＤ）の使用量を減少できる光学フィルムを提供することである。
【０００９】
本考案の他の目的は、複数の面取り部を形成することにより、体積を減少し、材料コストを低減できる光学フィルムを提供することである。
【００１０】
上記の目的を達成するために、本考案により提供される光学フィルムは、少なくとも１つの主表面と、前記主表面の周辺に位置する複数の側辺と、それぞれ任意の２つの隣接する側辺に位置し、それぞれ面取り面が形成されている複数の面取り部と、前記面取り部の前記面取り面に形成される複数のマイクロ構造と、を含む。
【００１１】
好ましくは、前記光学フィルムの側辺と前記面取り面との間に、９０度〜１８０度の角度の面取り角度を有する。
【００１２】
好ましくは、前記面取り角度は１３５度である。
【００１３】
好ましくは、前記マイクロ構造は、ピン角状であって、隣接して設けられ、同一線形方向に向かって延伸され、前記線形方向は前記主表面に平行する。
【００１４】
好ましくは、前記マイクロ構造は間隔を置いて設けられ、同一線形方向に向かって延伸され、前記線形方向は前記主表面に平行する。
【００１５】
好ましくは、前記マイクロ構造はピン角状である。
【００１６】
好ましくは、前記マイクロ構造はそれぞれ切り溝である。
【００１７】
好ましくは、前記マイクロ構造は、非ピン角状であって、隣接して設けられ、同一線形方向に向かって延伸され、前記線形方向は前記主表面に平行する。
【００１８】
本考案の他の目的は、前記光学フィルムを設けることにより、バックライトモジュールの角部又は縁部での暗帯の発生を避けるバックライトモジュールを提供することである。
【００１９】
上記の目的を達成するために、本考案により提供されるバックライトモジュールは、光源と、前記光源により発生される光線をガイドする光学フィルム部材と、を含み、前記光学フィルム部材は、上記光学フィルムを備える。
【００２０】
好ましくは、前記光学フィルム部材は更に、少なくとも１つの輝度増強フィルムと、少なくとも１つのプリズムシートと、少なくとも１つの拡散シートと、を備え、前記輝度増強フィルムと前記プリズムシートと前記拡散シートとは互いに重なって設けられている。
【００２１】
好ましくは、前記光学フィルムは、前記光源の上方に位置する拡散板である。
【００２２】
本考案のもう１つの目的は、前記光学フィルム及び前記バックライトモジュールを設けることにより、バックライトモジュールの角部又は縁部での暗帯の発生を避け、より優れた出光効果を提供し、ディスプレイ面の縁部に近接する光線の分布を均一にするディスプレイ装置を提供することである。
【００２３】
上記の目的を達成するために、本考案により提供されるディスプレイ装置は、前記バックライトモジュールの出光面に設けられているディスプレイパネルを含む。
【００２４】
本考案により提供される光学フィルム、バックライトモジュール及びディスプレイ装置において、主に、光線がガイドされて前記光学フィルムを透過するとき、前記光学フィルムは前記面取り面の前記マイクロ構造を利用して、光線を前記バックライトモジュールの角部エリアに散乱又は拡散させ、これにより、バックライトモジュールの角部又は縁部での暗帯の発生を避け、より優れた出光効果を提供し、ディスプレイ面の縁部に近接する光線の分布を均一にし、優れたディスプレイ品質を持たせる。
【図面の簡単な説明】
【００２５】
【図１】本考案の好ましい実施例の斜視図である。
【図２】本考案の好ましい実施例における光学フィルムのマイクロ構造を示す部分拡大図である。
【図３】本考案の別の実施例における光学フィルムのマイクロ構造の他の態様を示す部分拡大図である。
【図４】本考案の別の実施例における光学フィルムのマイクロ構造の他の態様を示す部分拡大図である。
【図５】本考案の別の実施例における光学フィルムのマイクロ構造の他の態様を示す部分拡大図である。
【図６】本考案の好ましい実施例におけるバックライトモジュールの構造の態様を示す分解斜視図である。
【図７】本考案の好ましい実施例におけるバックライトモジュールの光学フィルムが散乱する時の状態を示す使用状態模式図である。
【図８】本考案の好ましい実施例におけるバックライトモジュールの光学フィルムが散乱する時の状態を示す使用状態模式図である。
【図９】本考案の好ましい実施例におけるバックライトモジュールとディスプレイ装置との接続関係を示す分解斜視図である。
【考案を実施するための形態】
【００２６】
図１及び図２は、本考案の好ましい実施例の光学フィルムを示す斜視図及び部分拡大斜視図であって、光学フィルム１１１が記載され、前記光学フィルム１１１は拡散板１１１１であり、また、前記光学フィルム１１１は矩形状であり、少なくとも１つの主表面１１１０と、複数の側辺１１１２と、複数の面取り部１１１３と、を備え、各側辺１１１２は前記主表面１１１０の周辺に位置され、各面取り部１１１３は任意の２つの隣接する側辺１１１２に位置され、前記面取り部１１１３にはそれぞれ面取り面１１１４が形成され、また、前記面取り部１１１３の前記面取り面１１１４には複数のマイクロ構造１１１５が形成されている。また、前記光学フィルム１１１の側辺１１１２と前記面取り面１１１４との間に、９０度から１８０度の角度の面取り角度θを有する。
【００２７】
本実施例において、前記面取り角度θが１３５度であることを実施態様とするが、本考案を限定するものではない。本実施例において、前記マイクロ構造１１１５は、ピン角状であって、隣接して設けられ、同一線形方向に向かって延伸され、前記線形方向は前記主表面１１１０に平行する。
【００２８】
図３〜図５は、本考案の別の実施例における光学フィルム１１１のマイクロ構造１１１５の他の態様を示す部分拡大図である。図３に示すように、前記マイクロ構造１１１５は、ピン角状であって、互いに一定の距離を有するため、間隔を置いて設けられ、前記マイクロ構造１１１５は同一線形方向に向かって延伸されている。図４に示すように、前記マイクロ構造１１１５はそれぞれ切り溝の態様であって、前記切り溝同士の間は一定の距離を有し、間隔を置いて設けられ、前記マイクロ構造１１１５は同じく線形方向に向かって延伸されている。図５に示すように、前記マイクロ構造１１１５は、非ピン角状であって、隣接して設けられ、前記マイクロ構造１１１５はアーク状を例とし、前記マイクロ構造１１１５は同じく同一線形方向に向かって延伸され、前記線形方向は前記主表面１１１０に平行する。
【００２９】
そして、図６は、本考案の好ましい実施例におけるバックライトモジュール１０の構造の態様を示す分解斜視図である。それには、バックライトモジュール１０が記載され、前記バックライトモジュール１０は、光学フィルム部材１１と、少なくとも１つの光源１２と、筺体１３と、を備え、本実施例において、本考案は光源１２を備え、前記光源１２は前記筺体１３の内部に設けられ、且つ前記光源１２は発光ダイオード（ＬＥＤ）を例とし、また、前記光学フィルム部材１１は、少なくとも１つの輝度増強フィルム１１４と、少なくとも１つのプリズムシート１１３と、少なくとも１つの拡散シート１１２と、を備え、前記輝度増強フィルム１１４と前記プリズムシート１１３と前記拡散シート１１２とは、前記拡散板１１１１に互いに重なるように設けられ、前記光学フィルム部材１１は前記光源１２により発生された光線をガイドする。
【００３０】
本実施例において、前記光学フィルム部材１１の拡散板１１１１は、前記光源１２の上方に位置する上記光学フィルム１１１であり、前記拡散板１１１１と前記輝度増強フィルム１１４との間には前記プリズムシート１１３及び拡散シート１１２が挟まれて設けられている。
【００３１】
また、図９は、本考案の好ましい実施例におけるバックライトモジュール１０とディスプレイ装置１００との接続関係を示す分解斜視図である。それには、ディスプレイ装置１００が記載され、前記ディスプレイ装置１００はディスプレイパネル２０を備え、前記ディスプレイパネル２０は前記バックライトモジュール１０の出光面に設けられている。
【００３２】
本考案の構造的な特徴、採用される技術的手段及び期待される効果をさらに理解させるために、本考案の使用方式を説明し、これにより本考案をさらに深く且つ具体的に理解できる。
【００３３】
図２、図７及び図８は、本考案の好ましい実施例における部分拡大図及び使用状態模式図である。前記マイクロ構造１１１５が図２〜図５の態様のうちの１つ又はその組合せであってもよいため、前記光源１２から射出する光線がガイドされて前記光学フィルム１１１を透過するとき、前記マイクロ構造１１１５は光線を出射させて、光線を十分に利用して均一に出光させる効果を達成でき、筺体１３の角部に近接する光線の分布が比較的均一であり、バックライトモジュール１０の出光面の角部での輝度の急激な低下を避けることができる。具体的に、本考案は、主に前記面取り面１１１４の前記マイクロ構造１１１５を利用して、光線を前記バックライトモジュール１０の角部エリアに散乱又は拡散させて、高い光利用率を持たせ、それにより光源１２（ＬＥＤ）の使用量を低減できる。
【００３４】
なお、上記構造に対する説明から分かるように、本考案は、従来技術における直下型バックライトモジュール１０構造の角部又は縁部に、特に密集されている光源１２（ＬＥＤ）が設けられているため、発光ダイオードアレイ（ＬＥＤ）の構造の複雑性及びコストが明らかに増加され、光線の均一効果も制御しにくい問題を確実に解決できる。
【００３５】
上記実施例において、光源１２として発光ダイオード（ＬＥＤ）のみを例としていたが、発光ダイオードのみに限定されず、様々な形態の管状光源１２も選択でき、管状光源１２として、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）、熱陰極蛍光ランプ（ＨＣＦＬ：Ｈｏｔ  Ｃａｔｈｏｄｅ  Ｆｌｕｏｒｅｓｃｅｎｔ  Ｌａｍｐ）又は外部電極蛍光ランプ（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）を選択でき、いずれも本発明の目的を達成することができることは、説明すべきである。
【００３６】
さらに、前記光学フィルム１１１は、前記面取り部１１１３を設けることにより、前記光学フィルム１１１を薄型化できるため、コストを減少でき、収益を向上できることは、説明すべきである。
【００３７】
以下、本考案の特徴及び期待される効果をさらに説明する。
【００３８】
本考案の光学フィルム１１１と、バックライトモジュール１０と、ディスプレイ装置１００とは、主に、光線がガイドされて前記光学フィルム１１１を透過するとき、前記光学フィルム１１１が前記面取り面１１１４の前記マイクロ構造１１１５を利用して、光線を前記バックライトモジュール１０の角部エリアに散乱又は拡散させ、バックライトモジュール１０の角部又は縁部での暗帯の発生を避け、より優れた出光効果を提供し、ディスプレイ面の縁部に近接する光線の分布を均一にし、優れたディスプレイ品質を持たせる。
【００３９】
また、本考案は、さらに、前記光学フィルム１１１に前記面取り部１１１３及び前記マイクロ構造１１１５が形成されていることを利用して、前記光学フィルム１１１の体積を減少させ、材料のコストを減少させ、従来のディスプレイ装置１００のディスプレイエリアの角部又は縁部で暗帯又は輝度の不均一が発生しやすい問題を解決し、従来の直下型バックライトモジュール構造の角部又は縁部に特に密集している光源１２（ＬＥＤ）が設けられているため、発光ダイオードアレイ（ＬＥＤ）の構造の複雑性及びコストが明らかに増加され、期待される光線の均一効果も制御しにくい問題を解決するのに利用される。
【００４０】
以上の説明は本考案の好ましい実行可能な実施例に過ぎず、本考案の明細書及び出願特許範囲内で行った等価的な構造変更は、いずれも本考案の特許範囲に含まれるべきである。
【符号の説明】
【００４１】
１００  ディスプレイ装置、
１０  バックライトモジュール、
１１  光学フィルム部材、
１１１  光学フィルム、
１１１０  主表面、
１１１１  拡散板、
１１１２  側辺、
１１１３  面取り部、
１１１４  面取り面、
１１１５  マイクロ構造、
１１２  拡散シート、
１１３  プリズムシート、
１１４  輝度増強フィルム、
１２  光源、
１３  筺体、
２０  ディスプレイパネル、
θ  面取り角度。
【図１】
0003212898.tif 000003
【図２】
0003212898.tif 000004
【図３】
0003212898.tif 000005
【図４】
0003212898.tif 000006
【図５】
0003212898.tif 000007
【図６】
0003212898.tif 000008
【図７】
0003212898.tif 000009
【図８】
0003212898.tif 000010
【図９】
0003212898.tif 000011